(57)【要約】【課題】デジタルコンテンツの提供者と，提供者が希望する加工を施すことが可能な加工者とを仲介し，加工コンテンツの販売代金を提供者と加工者とが得られるようにする。【解決手段】センタ端末４は，提供者端末１からサンプルコンテンツとコンテンツの加工に関する希望条件を受信し，加工者端末２に加工の募集を行う。それに応募する加工者端末２から提供者の希望条件に従った加工サンプルを受信し，提供者端末１に送信する。提供者端末１が，選択した加工者端末２にオリジナルコンテンツを送信し，その加工者端末２は，オリジナルコンテンツを加工してセンタ端末４に販売を依頼する。センタ端末４は，複数の利用者端末３に対して加工サンプルを公示し，利用者端末３の要求に応じて加工コンテンツを配信し，販売代金を，提供者端末１と加工者端末２に報酬として分配する。【選択図】        図１
2004334571.tif 000002
【特許請求の範囲】
【請求項１】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成されるシステムにおける成功報酬型最適者仲介処理方法であって，
前記提供者端末が，オリジナルのコンテンツに対する加工の希望条件およびサンプルコンテンツを前記センタ端末に送信するステップと，
前記センタ端末が，前記加工者端末に対して前記希望条件を公示して加工者を募るステップと，
前記加工者端末が，前記希望条件を満たすようにサンプルコンテンツを加工し，前記センタ端末に加工サンプルコンテンツを送信して応募するステップと，
前記センタ端末が，前記加工サンプルコンテンツを前記提供者端末に送信するステップと，
前記提供者端末が，前記オリジナルのコンテンツの加工を依頼する特定の加工者端末を選択し，選択した特定の加工者端末にオリジナルのコンテンツを送信するステップと，
前記特定の加工者端末が，前記オリジナルのコンテンツを加工し，その加工コンテンツを前記センタ端末に送信するステップと，
前記センタ端末が，前記利用者端末に加工コンテンツの販売を公示するステップと，
前記利用者端末が，特定の加工コンテンツを選択し購入するステップと，
前記センタ端末が，前記選択された特定の加工コンテンツを前記利用者端末に配信するステップと，
前記センタ端末が，販売結果に応じて前記提供者端末および前記特定の加工者端末に代金を支払うステップとを有する
ことを特徴とする成功報酬型最適者仲介処理方法。
【請求項２】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成されるシステムにおける成功報酬型最適者仲介処理方法であって，
前記提供者端末が，オリジナルのコンテンツに対する加工の希望条件およびサンプルコンテンツを前記センタ端末に送信するステップと，
前記センタ端末が，前記加工者端末に対して前記希望条件を公示して加工者を募るステップと，
前記加工者端末が，前記希望条件を満たすようにサンプルコンテンツを加工し，前記センタ端末に加工サンプルコンテンツを送信して応募するステップと，
前記センタ端末が，前記加工サンプルコンテンツを前記提供者端末に送信するステップと，
前記提供者端末が，前記オリジナルのコンテンツの加工を依頼する特定の加工者端末を選択し，選択した特定の加工者端末にオリジナルのコンテンツを送信するステップと，
前記特定の加工者端末が，前記オリジナルのコンテンツを加工し，その加工コンテンツを前記提供者端末に送信するステップと，
前記センタ端末が，前記利用者端末に加工コンテンツの販売を公示するステップと，
前記利用者端末が，特定の加工コンテンツを選択し購入するステップと，
前記センタ端末が，前記選択された特定の加工コンテンツの前記利用者端末への配信を，前記提供者端末に依頼するステップと，
前記提供者端末が，前記利用者端末に前記特定の加工コンテンツを配信するステップと，
前記センタ端末が，販売結果に応じて前記提供者端末および前記特定の加工者端末に代金を支払うステップとを有する
ことを特徴とする成功報酬型最適者仲介処理方法。
【請求項３】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成される成功報酬型最適者仲介システムにおけるセンタ端末であって，
前記提供者端末からオリジナルのコンテンツに対する加工の希望条件およびサンプルコンテンツを受信し，前記加工者端末に対して前記希望条件を公示して加工者を募る手段と，
前記加工者端末の一つまたは複数の特定の加工者端末から前記サンプルコンテンツを加工した結果の加工サンプルコンテンツを受信し，前記提供者端末に送信する手段と，
前記特定の加工者端末からオリジナルのコンテンツを加工した結果の加工コンテンツを受信し保持する手段と，
前記利用者端末に加工コンテンツの販売を公示する手段と，
前記利用者端末が購入した特定の加工コンテンツを，その利用者端末に配信する手段と，
前記加工コンテンツの販売結果に応じて前記提供者端末および前記特定の加工者端末に代金を支払う手段とを備える
ことを特徴とする成功報酬型最適者仲介システムにおけるセンタ端末。
【請求項４】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成される成功報酬型最適者仲介システムにおけるセンタ端末であって，
前記提供者端末からオリジナルのコンテンツに対する加工の希望条件およびサンプルコンテンツを受信し，前記加工者端末に対して前記希望条件を公示して加工者を募る手段と，
前記加工者端末の一つまたは複数の特定の加工者端末から前記サンプルコンテンツを加工した結果の加工サンプルコンテンツを受信し，前記提供者端末に送信する手段と，
前記利用者端末に加工コンテンツの販売を公示する手段と，
前記利用者端末が購入した特定の加工コンテンツの配信を，前記提供者端末に依頼する手段と，
前記加工コンテンツの販売結果に応じて前記提供者端末および前記特定の加工者端末に代金を支払う手段とを備える
ことを特徴とする成功報酬型最適者仲介システムにおけるセンタ端末。
【請求項５】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成される成功報酬型最適者仲介システムにおける提供者端末であって，
オリジナルのコンテンツに対する加工の希望条件およびサンプルコンテンツを前記センタ端末に送信し，加工者の募集を依頼する手段と，
前記加工者端末が前記希望条件を満たすように加工して前記センタ端末に送信した加工サンプルコンテンツを，前記センタ端末から受信する手段と，
受信した加工サンプルコンテンツをもとに前記オリジナルのコンテンツの加工を依頼する特定の加工者端末を選択し，選択した特定の加工者端末にオリジナルのコンテンツを送信する手段と，
前記オリジナルのコンテンツを加工したコンテンツの販売結果に応じて，その代金の一部を受領する手段とを備える
ことを特徴とする成功報酬型最適者仲介システムにおける提供者端末。
【請求項６】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成される成功報酬型最適者仲介システムにおける提供者端末であって，
オリジナルのコンテンツに対する加工の希望条件およびサンプルコンテンツを前記センタ端末に送信し，加工者の募集を依頼する手段と，
前記加工者端末が前記希望条件を満たすように加工して前記センタ端末に送信した加工サンプルコンテンツを，前記センタ端末から受信する手段と，
受信した加工サンプルコンテンツをもとに前記オリジナルのコンテンツの加工を依頼する特定の加工者端末を選択し，選択した特定の加工者端末にオリジナルのコンテンツを送信する手段と，
前記特定の加工者端末が加工した加工コンテンツを受信し保持する手段と，
前記センタ端末からの利用者端末への加工コンテンツの配信依頼に対し，その加工コンテンツを利用者端末へ配信する手段と，
前記加工コンテンツの販売結果に応じて，その代金の一部を受領する手段とを備える
ことを特徴とする成功報酬型最適者仲介システムにおける提供者端末。
【請求項７】
デジタルコンテンツを提供する提供者端末と，提供者の希望条件によりコンテンツの加工を請け負う加工者端末と，加工されたコンテンツを購入し利用する利用者端末と，前記各端末間の取引を仲介するセンタ端末とから構成される成功報酬型最適者仲介システムにおける加工者端末であって，
前記センタ端末が前記提供者端末から受信したオリジナルのコンテンツに対する加工の希望条件およびサンプルコンテンツを，前記センタ端末から受信する手段と，
前記希望条件を満たすようにサンプルコンテンツを加工した結果の加工サンプルコンテンツを，前記センタ端末に送信し応募する手段と，
前記提供者端末から前記オリジナルのコンテンツを受信し，前記希望条件を満たすように受信したコンテンツを加工して前記センタ端末または前記提供者端末に送信する手段と，
前記オリジナルのコンテンツを加工したコンテンツの販売結果に応じて，その代金の一部を受領する手段とを備える
ことを特徴とする成功報酬型最適者仲介システムにおける加工者端末。
【発明の詳細な説明】
【０００１】
【発明の属する技術分野】
本発明は，映像，音楽，テキスト文書，ゲーム，任意のコンピュータプログラムといったデジタルコンテンツを，ネットワークを介して売買する電子取引システムに関し，特に，デジタルコンテンツの提供者に対して，提供者が希望する加工をコンテンツに施してくれる加工者を仲介し，その報酬は加工したコンテンツが利用者により購入されたときに支払われる仕組みを実現する成功報酬型最適者仲介処理方法に関するものである。
【０００２】
【従来の技術】
従来，電子取引において最適者を仲介する方法に関連する技術としては，下記の特許文献１に記載された次のようなシステム技術（「電子取引システム，商品価格算定方法，商品仲介サーバ，および商品仲介プログラムを記録した記録媒体」）があった。
【０００３】
この従来のシステム技術では，購入希望者の購入希望価格をあらかじめ管理するデータベースを有する商品仲介サーバが，ある商品の販売価格を複数の販売者クライアントに問合せるとともに，その商品に付帯するサービスまたは割引（運用契約）などの価格を，それらを提供するサービス提供者クライアントに問合せ，問合せに応じた販売者クライアント，およびサービス提供者クライアントが提示する価格の中で，購入希望者が希望する価格に最も近い組み合わせを探索し，購入希望者に通知する。
【０００４】
【特許文献１】
特開２００２−８３１７４号公報
【０００５】
【発明が解決しようとする課題】
しかし，上記の従来の技術には以下のような問題があった。上記のシステムは，基本的に最終的に商品を購入する購入希望者の利便性を高めることが目的であるため，販売者（本発明におけるデジタルコンテンツの提供者）が希望する付帯サービス提供者（本発明におけるコンテンツの加工者）を選択して商品を販売することができない。
【０００６】
本発明は，上記従来技術の問題点を解決し，デジタルコンテンツの提供者に対して，提供者が希望する加工をコンテンツに施してくれる加工者を仲介し，その報酬は加工したコンテンツが利用者により購入されたときに支払われる仕組みを提供することを目的とする。
【０００７】
【課題を解決するための手段】
上記目的を達成するため，本発明の成功報酬型最適者仲介処理方法は，オリジナルのデジタルコンテンツを提供する提供者端末がサンプルコンテンツとともにコンテンツの加工に関する希望条件をセンタ端末に送信するステップと，センタ端末が複数の加工者端末に対して，この加工に関する希望条件を公示して加工者を募るステップと，加工者端末が希望条件を満たすようにサンプルコンテンツを加工してセンタ端末に応募するステップと，応募してきた加工サンプルコンテンツを提供者端末に提示して加工者の選択を依頼するステップと，提供者端末から加工者端末にオリジナルコンテンツを送信して加工を依頼するステップと，加工者端末が，オリジナルコンテンツを加工してセンタ端末に販売を依頼するステップと，センタ端末から複数の利用者端末に対して，加工サンプルコンテンツを販売を目的として広く公示するステップと，利用者端末の要求に応じて，加工コンテンツを配信するステップと，販売結果に応じて，提供者端末と加工者端末に報酬を分配するステップとを有する。
【０００８】
本発明に係るシステムは，オリジナルコンテンツを提供する提供者端末と，提供者の希望条件によりコンテンツの加工を請け負う複数の加工者端末と，加工されたコンテンツを購入し利用する利用者端末と，これらの端末間の取引を仲介するセンタ端末とが，通信ネットワークに接続され構成されているとする。
【０００９】
提供者端末は，提供者情報保持手段と，希望条件送信手段と，コンテンツ保持手段とを備え，提供者端末を一意に特定する情報，加工に関する希望条件，およびサンプルコンテンツをセンタ端末に送信する。また，提供者端末は，加工者選択手段を備え，センタ端末からコンテンツの加工サンプルを受信し，加工を実際に依頼する加工者端末を選択し，コンテンツ保持手段からオリジナルコンテンツを加工者端末に送信して加工を依頼する。さらに，提供者端末は，代金受領手段を備え，加工コンテンツの販売結果に応じてセンタ端末から販売報酬を受信する。
【００１０】
加工者端末は，コンテンツ加工手段と，加工者情報保持手段とを備え，センタ端末から提供者が加工を希望しているコンテンツのサンプルと，その加工希望条件とを受信し，加工に応じる場合にはサンプルを加工し，加工者を一意に特定する加工者端末情報とともにセンタ端末に送信する。また，提供者端末からオリジナルコンテンツを受信し加工を依頼された場合には，加工してセンタ端末または提供者端末に送信する。さらに，加工者端末は，代金受領手段を備え，加工コンテンツの販売結果に応じてセンタ端末から販売報酬を受信する。
【００１１】
利用者端末は，コンテンツ選択手段と，コンテンツ受信手段とを備え，センタ端末から加工サンプルコンテンツを受信して購入するコンテンツを選択し，加工コンテンツを購入する。また，利用者端末は，代金支払手段を備え，加工コンテンツの代金をセンタ端末に支払う。
【００１２】
センタ端末は，条件公示手段と，コンテンツ保持手段と，コンテンツ公示手段と，販売手段とを備える。センタ端末は，条件公示手段によりオリジナルコンテンツの提供者が希望する加工条件を受付けて複数の加工者端末に公示するともに，コンテンツ保持手段が提供者端末から受信したサンプルコンテンツを，加工者端末に送信する。
【００１３】
その後，センタ端末は，加工者端末から加工サンプルを受信し，提供者端末に加工サンプルを提示して加工者端末の選択を依頼する。依頼した加工者端末から加工コンテンツを受信し，利用者端末の要求に応じて配信する。さらに，センタ端末は，販売代金を提供者端末と加工者端末に分配する。
【００１４】
【発明の実施の形態】
以下，本発明の実施の形態を，図を用いて説明する。
【００１５】
［第１の実施の形態］
図１は，本発明の第１の実施の形態に係るシステム構成例を示す図である。本システムは，提供者端末１，加工者端末２，利用者端末３，センタ端末４により構成される。
【００１６】
図１に示す各手段について説明する。提供者端末１とは，オリジナルのコンテンツ（以下，オリジナルＯと記す）を提供し，提供者がオリジナルＯに対して希望する加工を施してくれる加工者の仲介を，センタ端末４に依頼するコンピュータ端末である。提供者端末１は，提供者情報保持手段１１と，コンテンツ保持手段１２と，希望条件送信手段１３と，加工者選択手段１４と，代金受領手段１５とを備える。
【００１７】
提供者情報保持手段１１は，提供者端末１を一意に特定する提供者情報ＯＦを保持する。コンテンツ保持手段１２は，加工を希望するオリジナルのコンテンツ（オリジナルＯ），および試しに加工してもらうために用いるサンプルのコンテンツ（以下，サンプルＳと記す）を保持する。サンプルＳは，オリジナルＯの一部分で構成されるものとする。
【００１８】
希望条件送信手段１３は，提供者の入力を検出して，オリジナルＯに対して希望する加工の条件や，加工に関する契約条件（料金配分，期間等）などの希望条件Ｃをセンタ端末４に送信する。このとき，提供者情報保持手段１１が保持する提供者情報ＯＦ，およびコンテンツ保持手段１２が保持するサンプルＳも同時に送信する。ここで，コンテンツに対する加工とは，例えばオリジナルコンテンツが映像であれば，モザイク処理を施したり，明るさや色合いを調整したり，冗長な内容を編集したりする処理などである。
【００１９】
加工者選択手段１４は，センタ端末４からサンプルＳを加工した加工サンプルＰＳ，サンプルＳを一意に特定するサンプルＩＤ・ＳＩＤ，および加工サンプルＰＳを一意に特定する加工サンプルＩＤ・ＰＳＩＤ（後述），加工者端末２を一意に特定する加工者情報ＰＲを受信する。これらの情報は複数の場合があり，その中から実際にオリジナルＯの加工を依頼する加工者端末２を選択する。
【００２０】
選択後，コンテンツ保持手段１２が保持するオリジナルＯ，サンプルＩＤ・ＳＩＤおよび加工サンプルＩＤ・ＰＳＩＤを加工者端末２に送信する。代金受領手段１５は，オリジナルＯを加工した加工コンテンツＰＯが利用者により購入された場合に，センタ端末４から代金として提供者代金ＣＨＯＦを受信する。
【００２１】
加工者端末２とは，提供者端末１により加工を希望するオリジナルＯに対して，加工を請け負い，その報酬は加工コンテンツＰＯが利用者により購入されたときに受け取るコンピュータ端末である。加工者端末２は，コンテンツ加工手段２１と，加工者情報保持手段２２と，代金受領手段２３とを備える。
【００２２】
コンテンツ加工手段２１は，センタ端末４からサンプルＩＤ・ＳＩＤ，サンプルＳ，希望条件Ｃを受信する。このとき，加工者端末２からセンタ端末４に問合せて取得する場合もあるし，提供者端末１から加工の依頼がセンタ端末４に行われる度に，センタ端末４から通知してもらうような場合もある。コンテンツ加工手段２１は，サンプルＩＤ・ＳＩＤとともに希望条件Ｃを保持し，サンプルＳを希望条件Ｃに従い加工して，加工サンプルＰＳを作成する。サンプルＩＤ・ＳＩＤと加工サンプルＰＳをセンタ端末４に送信する。
【００２３】
また，コンテンツ加工手段２１は，提供者端末１からサンプルＩＤ・ＳＩＤ，加工サンプルＩＤ・ＰＳＩＤ，およびオリジナルＯを受信して加工を依頼された場合，保持しているサンプルＩＤ・ＳＩＤにより希望条件Ｃを特定し，それに従いオリジナルＯを加工して加工コンテンツＰＯを作成し，加工サンプルＩＤ・ＰＳＩＤとともに加工コンテンツＰＯをセンタ端末４に送信する。
【００２４】
加工者情報保持手段２２は，加工者情報ＰＲを保持し，コンテンツ加工手段２１がサンプルＩＤ・ＳＩＤと加工サンプルＰＳをセンタ端末４に送信するときに，同時に加工者情報ＰＲを送信する。代金受領手段２３は，加工コンテンツＰＯが購入された場合に，センタ端末４から代金として加工者代金ＣＨＰＲを受信する。これが加工の報酬に相当する。
【００２５】
利用者端末３とは，センタ端末４により公示される複数の加工コンテンツＰＯの中から，利用を希望するコンテンツを選択し，購入するコンピュータ端末である。利用者端末３は，コンテンツ受信手段３１と，コンテンツ選択手段３２と，代金支払手段３３とを備える。
【００２６】
コンテンツ受信手段３１は，センタ端末４から加工サンプルＰＳまたは加工コンテンツＰＯを受信する。コンテンツ受信手段３１が加工サンプルＰＳを受信するときに，コンテンツ選択手段３２は，加工コンテンツを一意に特定する加工ＩＤ・ＰＩＤをセンタ端末４から受信し，利用者の選択の入力を検出し，加工ＩＤ・ＰＩＤを代金支払手段３３に渡す。代金支払手段３３は，加工ＩＤ・ＰＩＤとコンテンツ代金の支払情報である代金ＣＨを，センタ端末４に送信して加工コンテンツＰＯの購入を依頼する。
【００２７】
センタ端末４は，オリジナルＯの提供者が希望する加工を施す最適な加工者を提供者に仲介し，その加工コンテンツＰＯが利用者により購入されたときに，その報酬を提供者と加工者に分配するコンピュータ端末である。条件公示手段４１と，コンテンツ保持手段４２と，コンテンツ公示手段４３と，販売手段４４とを備える。
【００２８】
条件公示手段４１は，提供者端末１から希望条件Ｃ，および提供者情報ＯＦを受信する。また，条件公示手段４１は，同時にコンテンツ保持手段４２が提供者端末１から受信したサンプルＳに，それを一意に識別するサンプルＩＤ・ＳＩＤを付与し，提供者情報ＯＦと組にして，図２に示す管理データテーブルに保持する。図２に，センタ端末４が提供者情報ＯＦ，サンプルＩＤ・ＳＩＤ，加工サンプルＩＤ・ＰＳＩＤ，加工者情報ＰＲおよび加工ＩＤ・ＰＩＤを管理するための管理データテーブルの例を示す。
【００２９】
その後，条件公示手段４１は，希望条件Ｃ，およびサンプルＩＤ・ＳＩＤを複数の加工者端末２に送信して，加工の依頼があった旨を公示する。
【００３０】
コンテンツ保持手段４２は，まず提供者端末１からサンプルＳを受信し，複数の加工者端末２に送信する。次に加工者端末２から加工サンプルＰＳを受信し，提供者端末１に提示する。さらに加工者端末２から加工コンテンツＰＯを受信する。複数の利用者端末３に加工サンプルＰＳを提示して加工コンテンツの販売を公示し，利用者端末３の要求に従い加工コンテンツＰＯを配信する。
【００３１】
コンテンツ公示手段４３は，コンテンツ保持手段４２が加工者端末２から加工サンプルＰＳを受信すると同時にサンプルＩＤ・ＳＩＤおよび加工者情報ＰＲを受信し，加工サンプルＰＳに加工サンプルＩＤ・ＰＳＩＤを付与して，図２の管理データテーブルに保持する。そして，提供者端末１に加工サンプルＰＳとともに，サンプルＩＤ・ＳＩＤ，加工サンプルＩＤ・ＰＳＩＤ，加工者情報ＰＲを送信する。さらに，コンテンツ公示手段４３は，コンテンツ保持手段４２が加工者端末２から加工コンテンツＰＯを受信する場合には，同時に加工サンプルＩＤ・ＰＳＩＤを受信し，加工コンテンツＰＯに加工ＩＤ・ＰＩＤを付与し，図２の管理データテーブルに保持する。また，コンテンツ公示手段４３は，複数の利用者端末３に対して加工サンプルＰＳを公示する際に，同時に加工ＩＤ・ＰＩＤを送信する。
【００３２】
販売手段４４は，利用者端末３から加工ＩＤ・ＰＩＤと代金ＣＨを受信し，コンテンツ保持手段４２に加工コンテンツＰＯの配信を依頼する。同時に提供者端末１，加工者端末２にそれぞれ，提供者代金ＣＨＯＦ，加工者代金ＣＨＰＲを分配する。このとき，代金ＣＨの一部を仲介手数料として販売手段４４が徴収する場合もある。
【００３３】
次に，図３〜図６を用いて，本発明の第１の実施の形態における処理を説明する。図３は，提供者端末１の処理フロー図である。提供者の入力を検出して，希望条件Ｃ，サンプルＳ，提供者情報ＯＦをセンタ端末４に送信する（ステップＳ１）。センタ端末４から加工サンプルＰＳの一覧として加工サンプルＰＳ，サンプルＩＤ・ＳＩＤ，加工サンプルＩＤ・ＰＳＩＤ，加工者情報ＰＲを受信したら（ステップＳ２），実際に加工を依頼する加工者端末２を選択する（ステップＳ３）。
【００３４】
該当する加工サンプルＩＤ・ＰＳＩＤ，サンプルＩＤ・ＳＩＤ，オリジナルＯを加工者端末２に送信する（ステップＳ４）。加工コンテンツＰＯの販売代金として提供者代金ＣＨＯＦをセンタ端末４から受領して（ステップＳ５）終了する。
【００３５】
図４は，加工者端末２の処理フロー図である。センタ端末４からサンプルＳ，サンプルＩＤ・ＳＩＤ，希望条件Ｃを受信し（ステップＳ１１），サンプルＩＤ・ＳＩＤとともに希望条件Ｃを保持する。希望条件Ｃに従いサンプルＳを加工して加工サンプルＰＳを作成し，その加工サンプルＰＳをサンプルＩＤ・ＳＩＤ，加工者情報ＰＲとともにセンタ端末４に送信する（ステップＳ１２）。
【００３６】
提供者端末１から，サンプルＩＤ・ＳＩＤ，加工サンプルＩＤ・ＰＳＩＤ，オリジナルＯを受信した場合は（ステップＳ１３），サンプルＩＤ・ＳＩＤを用いて保持している希望条件Ｃを特定し，その条件に従ってオリジナルＯを加工して加工コンテンツＰＯを作成し，加工サンプルＩＤ・ＰＳＩＤとともにセンタ端末４に送信する（ステップＳ１４）。加工コンテンツＰＯの販売代金として加工者代金ＣＨＰＲをセンタ端末４から受領して（ステップＳ１５）終了する。
【００３７】
図５は，利用者端末３の処理フロー図である。センタ端末４から，加工コンテンツ一覧として加工サンプルＰＳ，加工ＩＤ・ＰＩＤを受信する（ステップＳ２１）。利用者の入力により利用するコンテンツを選択し，該当する加工ＩＤ・ＰＩＤとその代金ＣＨをセンタ端末４に送信する（ステップＳ２２）。センタ端末４から加工コンテンツＰＯを受信して（ステップＳ２３）終了する。
【００３８】
図６は，センタ端末４の処理フロー図である。まず，希望条件Ｃ，サンプルＳ，提供者情報ＯＦを提供者端末１から受信する（ステップＳ３１）。サンプルＳにサンプルＩＤ・ＳＩＤを付与し，提供者情報ＯＦとともに保持する（ステップＳ３２）。サンプルＳと希望条件Ｃを複数の加工者端末２に送信し，公示する。このとき，希望条件Ｃだけを先に送信し，加工者端末２の応答を待ってからサンプルＳとサンプルＩＤを送信してもよい（ステップＳ３３，Ｓ３４）。次に，加工者端末２からサンプルＩＤ・ＳＩＤ，加工サンプルＰＳ，加工者情報ＰＲを受信し（ステップＳ３５），加工サンプルＰＳに加工サンプルＩＤ・ＰＳＩＤを付与してサンプルＩＤ・ＳＩＤとともに保持する（ステップＳ３６）。
【００３９】
加工サンプル一覧として，加工サンプルＰＳ，サンプルＩＤ・ＳＩＤ，加工サンプルＩＤ・ＰＳＩＤ，加工者情報ＰＲを提供者端末１に送信し（ステップＳ３７），加工者の選択を依頼する。加工者端末２から加工サンプルＩＤ・ＰＳＩＤ，加工コンテンツＰＯを受信し（ステップＳ３８），加工コンテンツＰＯに加工ＩＤ・ＰＩＤを付与し，加工サンプルＩＤ・ＰＳＩＤとともに保持する（ステップＳ３９）。
【００４０】
加工コンテンツＰＯを複数の利用者端末３に公示するため，加工ＩＤ・ＰＩＤ，加工サンプルＰＳを送信する（ステップＳ４０）。利用者端末３から加工ＩＤ・ＰＩＤと代金ＣＨを受信したら（ステップＳ４１），加工コンテンツＰＯを特定して利用者端末３に配信する（ステップＳ４２）。提供者端末１に提供者代金ＣＨＯＦ，加工者端末２に加工者代金ＣＨＰＲを分配して（ステップＳ４３）終了する。このとき，仲介手数料として代金ＣＨの一部をセンタ端末４が徴収する場合もある。
【００４１】
図７に，各端末間のシーケンス（ＳＱ１０〜ＳＱ２５）を示す。提供者端末１から，希望条件Ｃ，サンプルＳ，提供者情報ＯＦがセンタ端末に送信される（ＳＱ１０）。センタ端末４はこれを受信し，サンプルＩＤ・ＳＩＤの付与処理を行い（ＳＱ１１），希望条件Ｃ，サンプルＳ，サンプルＩＤ・ＳＩＤを複数の加工者端末２に送信してサンプルの公示処理を行う（ＳＱ１２）。
【００４２】
加工者端末２はサンプルの加工処理を行い（ＳＱ１３），サンプルＩＤ・ＳＩＤ，加工サンプルＰＳ，加工者情報ＰＲをセンタ端末４に送信する。センタ端末４は，加工サンプルＰＳに加工サンプルＩＤ・ＰＳＩＤを付与して保持し（ＳＱ１４），加工サンプル一覧を提供者に提示するために，サンプルＩＤ・ＳＩＤ，加工サンプルＩＤ・ＰＳＩＤ，加工サンプルＰＳ，加工者情報ＰＲを送信する（ＳＱ１５）。
【００４３】
提供者端末１は，加工者選択処理を行い（ＳＱ１６），サンプルＩＤ・ＳＩＤ，加工サンプルＩＤ・ＰＳＩＤ，オリジナルＯを加工者端末２に送信する。加工者端末２はオリジナルＯの加工処理を行い（ＳＱ１７），加工サンプルＩＤ・ＰＳＩＤとともに加工コンテンツＰＯをセンタ端末４に送信する。
【００４４】
センタ端末４は，加工コンテンツに加工ＩＤ・ＰＩＤを付与して保持し（ＳＱ１８），複数の利用者端末３に対して販売を目的として加工コンテンツＰＯを公示するために，加工サンプルＰＳと加工ＩＤ・ＰＩＤを送信する（ＳＱ１９）。利用者端末３は，利用コンテンツの選択処理を行い（ＳＱ２０），加工ＩＤ・ＰＩＤと代金ＣＨをセンタ端末４に送信する。
【００４５】
センタ端末４は，加工ＩＤ・ＰＩＤから加工コンテンツＰＯを特定し，利用者端末に配信する（ＳＱ２１）。利用者端末３は加工コンテンツＰＯを取得する（ＳＱ２２）。センタ端末４は，提供者端末１に提供者代金ＣＨＯＦを，加工者端末に加工者代金ＣＨＰＲを分配する（ＳＱ２３〜ＳＱ２５）。
【００４６】
［第２の実施の形態］
本発明の第２の実施の形態は第１の実施の形態とほぼ同じであるが，相違点は，利用者端末が加工コンテンツＰＯを利用する際に，センタ端末からではなく提供者端末から配信される点である。以降，第１の実施の形態と異なる点のみ説明する。
【００４７】
図８は，本発明の第２の実施の形態に係るシステム構成例を示す図である。図８における各手段は，第１の実施の例とほぼ同じである。提供者端末５におけるコンテンツ保持手段５２は，加工者端末６を選択してサンプルＩＤ・ＳＩＤ，加工サンプルＩＤ・ＰＳＩＤ，オリジナルＯを加工者端末６に送信した後，加工者端末６から加工コンテンツＰＯ，加工サンプルＩＤ・ＰＳＩＤを受信し，これらを保持する。センタ端末８から加工サンプルＩＤ・ＰＳＩＤと利用者情報ＵＳを受信し，加工コンテンツＰＯを特定して利用者端末７に配信する。
【００４８】
加工者端末６におけるコンテンツ加工手段６１は，提供者端末５からサンプルＩＤ・ＳＩＤ，加工サンプルＩＤ・ＰＳＩＤ，オリジナルＯを受信して加工を依頼されたら，加工処理後，加工コンテンツＰＯと加工サンプルＩＤ・ＰＳＩＤを提供者端末５に送信する。同時にセンタ端末８に対し，加工サンプルＩＤ・ＰＳＩＤを送信し，加工ＩＤ・ＰＩＤの発行を依頼する。
【００４９】
利用者端末７は，第１の実施の形態の場合に加え，利用者情報保持手段７４を備える。利用者情報保持手段７４は，利用者端末７を一意に特定する利用者情報ＵＳを保持し，利用者が加工コンテンツＰＯの利用を選択し，代金支払手段７３が加工ＩＤ・ＰＩＤと代金ＣＨをセンタ端末８に送信する際に，同時に利用者情報ＵＳを送信する。また，コンテンツ受信手段７１は，加工コンテンツＰＯを提供者端末５から受信する。
【００５０】
センタ端末８におけるコンテンツ公示手段８３は，加工者端末６がオリジナルＯを加工して加工コンテンツＰＯを提供者端末５に送信する際に，加工者端末６から加工サンプルＩＤ・ＰＳＩＤを受信し，加工ＩＤ・ＰＩＤを付与して，加工サンプルＩＤ・ＰＳＩＤとともに保持する。利用者端末７から加工コンテンツＰＯの利用依頼として加工ＩＤ・ＰＩＤおよび利用者情報ＵＳを受信したら，加工サンプルＩＤ・ＰＳＩＤを特定して利用者情報ＵＳとともに提供者端末５に送信する。
【００５１】
また，販売手段８４は，利用者端末７から加工ＩＤ・ＰＩＤと代金ＣＨおよび利用者情報ＵＳを受信し，提供者端末５に加工サンプルＩＤ・ＰＳＩＤおよび利用者情報ＵＳを送信する。また，提供者端末５，加工者端末６にそれぞれ提供者代金ＣＨＯＦ，加工者代金ＣＨＰＲを分配する。
【００５２】
図９〜図１３を用いて，本発明の第２の実施の形態における処理を説明する。図９は，提供者端末５の処理フロー図である。図９のステップＳ５１〜ステップＳ５４，ステップＳ５８は，それぞれ図３に示す第１の実施の形態のステップＳ１〜ステップＳ４，ステップＳ５と同様の処理を行う。
【００５３】
第１の実施の形態と異なる部分は，以下の処理である。提供者端末５は，加工者端末６を選択して加工を依頼する処理（ステップＳ５３，ステップＳ５４）をした後，加工サンプルＩＤ・ＰＳＩＤと加工コンテンツＰＯを加工者端末６から受信し，これを保持する（ステップＳ５５）。センタ端末８から加工サンプルＩＤ・ＰＳＩＤおよび利用者情報ＵＳを受信した場合には（ステップＳ５６），保持している加工コンテンツＰＯを特定し，利用者端末７に送信する（ステップＳ５７）。
【００５４】
図１０は，センタ端末８の処理フロー図である。図１０のステップＳ６１〜ステップＳ６８，ステップＳ７１およびステップＳ７３は，それぞれ図６に示す第１の実施の形態のステップＳ３１〜ステップＳ３８，ステップＳ４１およびステップＳ４３と同様の処理を行う。第１の実施の形態と異なる部分は，以下の処理である。
【００５５】
センタ端末８は，加工者端末６から加工コンテンツＰＯは受信せず，加工サンプルＩＤ・ＰＳＩＤのみ受信し（ステップＳ６８），加工ＩＤ・ＰＩＤを付与して加工サンプルＩＤ・ＰＳＩＤともに保持する（ステップＳ６９）。利用者端末７から加工ＩＤ・ＰＩＤ，代金ＣＨとともに，利用者情報ＵＳを受信し（ステップＳ７１），加工サンプルＩＤ・ＰＳＩＤを特定して利用者情報ＵＳとともに提供者端末５に送信して，加工コンテンツＰＯの配信を依頼する（ステップＳ７２）。
【００５６】
図１１は，加工者端末６の処理フロー図である。本発明の第２の実施の形態においては，加工者端末６は，オリジナルＯの加工処理後，加工コンテンツＰＯをセンタ端末８ではなく，提供者端末５に送信する点（ステップＳ８４）が図４に示す第１の実施の形態と異なる。
【００５７】
図１２は，利用者端末７の処理フロー図である。本発明の第２の実施の形態においては，利用者端末７は，利用する加工コンテンツＰＯを選択後，加工ＩＤ・ＰＩＤ，代金ＣＨとともに，利用者情報ＵＳをセンタ端末８に送信する点（ステップＳ９２）が，第１の実施の形態と異なる。
【００５８】
図１３は，各端末間のシーケンスを表す図である。加工者端末６は，オリジナルＯの加工処理後，センタ端末８ではなく提供者端末５に加工サンプルＩＤ・ＰＳＩＤと加工コンテンツＰＯを送信する（ＳＱ３７）。また，利用者端末７は利用する加工コンテンツＰＯを選択したら（ＳＱ４０），加工ＩＤ・ＰＩＤ，代金ＣＨとともに利用者情報ＵＳをセンタ端末８に送信する。センタ端末８は，加工サンプルＩＤ・ＰＳＩＤと利用者情報ＵＳを提供者端末５に送信してコンテンツの配信を依頼し（ＳＱ４１），提供者端末５は加工コンテンツＰＯを利用者端末７に送信する（ＳＱ４２）。その他の処理シーケンスは，それぞれ図７に示す第１の実施の形態の処理シーケンスと同様である。
【００５９】
なお，第１および第２の実施の形態の例において，センタ端末が課金処理を行う例で説明をしたが，本発明においては，金融機関と連携し，実際の課金処理は金融機関が有する手段に行わせる場合もある。
【００６０】
また，サンプルＳ，加工サンプルＰＳ，オリジナルＯ，加工コンテンツＰＯなどのコンテンツが端末間で送受信される際，ダウンロードなどにより実体が端末間を移動して移動先の端末で保持される場合もあるが，ストリーミングなどにより，一時的に端末間を移動するだけの場合もある。
【００６１】
以上の提供者端末，センタ端末，加工者端末，利用者端末が行う処理は，それぞれコンピュータとソフトウェアプログラムとによって実現することができ，そのプログラムをコンピュータ読み取り可能な記録媒体に記録して提供することも，ネットワークを通して提供することも可能である。
【００６２】
【発明の効果】
以上のように，本発明では，デジタルコンテンツの提供者は，センタ端末を介して自分のコンテンツに自分が希望する加工を施してくれる加工者を，逆オークションの形式で募集し，加工者は，サンプルを加工することにより応募する。提供者は，応募してきた加工者のうち気に入った加工者を選択し，オリジナルコンテンツ全体の加工を依頼する。加工されたコンテンツを一般利用者に販売し，販売された時点で代金（報酬）が提供者と加工者とに支払われる。
【００６３】
したがって，本発明により，デジタルコンテンツの提供者は，自分が提供するコンテンツに対して希望する加工に必要な技術を有する加工者，あるいは希望の価格や期間で加工処理を行ってくれる加工者を，コストをかけずに探して選択することができる。また，加工後のコンテンツの販売を行う際に，実際に利用者による購入が行われてから加工者に対して加工の報酬を支払うことができるため，複数のサンプルを利用者に提示し，利用者の選択に応じて加工を依頼することも可能である。
【図面の簡単な説明】
【図１】本発明の第１の実施の形態におけるシステム構成例を示す図である。
【図２】本発明の実施の形態において，センタ端末が管理する管理データテーブルの例を示す図である。
【図３】本発明の第１の実施の形態における提供者端末の処理フロー図である。
【図４】本発明の第１の実施の形態における加工者端末の処理フロー図である。
【図５】本発明の第１の実施の形態における利用者端末の処理フロー図である。
【図６】本発明の第１の実施の形態におけるセンタ端末の処理フロー図である。
【図７】本発明の第１の実施の形態における各端末間のシーケンス例を示す図である。
【図８】本発明の第２の実施の形態におけるシステム構成例を示す図である。
【図９】本発明の第２の実施の形態における提供者端末の処理フロー図である。
【図１０】本発明の第２の実施の形態におけるセンタ端末の処理フロー図である。
【図１１】本発明の第２の実施の形態における加工者端末の処理フロー図である。
【図１２】本発明の第２の実施の形態における利用者端末の処理フロー図である。
【図１３】本発明の第２の実施の形態における各端末間のシーケンス例を示す図である。
【符号の説明】
１，５  提供者端末
２，６  加工者端末
３，７  利用者端末
４，８  センタ端末
１１，５１  提供者情報保持手段
１２，４２，５２，８２  コンテンツ保持手段
１３，５３  希望条件送信手段
１４，５４  加工者選択手段
１５，２３，５５，６３  代金受領手段
２１，６１  コンテンツ加工手段
２２，６２  加工者情報保持手段
３１，７１  コンテンツ受信手段
３２，７２  コンテンツ選択手段
３３，７３  代金支払手段
４１，８１  条件公示手段
４３，８３  コンテンツ公示手段
４４，８４  販売手段
７４      利用者情報保持手段
Ｃ        希望条件
ＣＨ      代金
ＣＨＯＦ  提供者代金
ＣＨＰＲ  加工者代金
Ｏ        オリジナルのコンテンツ
ＯＦ      提供者情報
ＰＩＤ    加工ＩＤ
ＰＯ      加工コンテンツ
ＰＲ      加工者情報
ＰＳ      加工サンプル
ＰＳＩＤ  加工サンプルＩＤ
Ｓ        サンプルのコンテンツ
ＳＩＤ    サンプルＩＤ
ＵＳ      利用者情報
【図１】
2004334571.tif 000003
【図２】
2004334571.tif 000004
【図３】
2004334571.tif 000005
【図４】
2004334571.tif 000006
【図５】
2004334571.tif 000007
【図６】
2004334571.tif 000008
【図７】
2004334571.tif 000009
【図８】
2004334571.tif 000010
【図９】
2004334571.tif 000011
【図１０】
2004334571.tif 000012
【図１１】
2004334571.tif 000013
【図１２】
2004334571.tif 000014
【図１３】
2004334571.tif 000015